(57)【特許請求の範囲】
【請求項１】
床面上に設けた支柱の上端に架設された、モニター機器載置用の天板の下方に所定間隔を設けて、オペレーション機器載置用の左右幅が天板より大寸の卓板を、その両幅部より垂設した左右１対の支脚により、前記天板に対して前後移動自在に設けてなるコンピュータ用テーブル。
【請求項２】
卓板の前縁が円弧状に突出する請求項１記載のコンピュータ用テーブル。
【請求項３】
卓板の前縁が円弧状に凹入する請求項１記載のコンピュータ用テーブル。
【請求項４】
卓板の前後両縁のいずれか一方が円弧状に突出し、他方が円弧状に凹入する請求項１記載のコンピュータ用テーブル。
【請求項５】
天板の下方における支柱の下部に棚板を設け、卓板の左右の支脚が前記棚板を跨ぐようにして、前記卓板が天板と棚板との間において前後方向に移動しうるようにしたことを特徴とする請求項１〜４のいずれかに記載のコンピュータ用テーブル。
【発明の詳細な説明】
【０００１】
【発明の属する技術分野】
本発明は、ＣＲＴディスプレイ等のモニター機器とキーボード等のオペレーション機器とが分離されている、例えばディスクトップ型コンピュータを載置するテーブルに関する。
【０００２】
【従来の技術】
学校その他において、複数の者がコンピュータを使用する場合、１台のモニターを見ながら、オペレーション機器を交代で操作することが多い。
しかしてオペレーション機器としては、通常、キーボードとマウスが併用されるため、オペレーション機器用の卓板（以下単に卓板という）の横幅は、モニター機器用の天板（以下単に天板という）のそれよりも大寸とされている。
【０００３】
【発明が解決しようとする課題】
そのため、モニター機器が操作者から離れて見難いとともに、操作がし難くなり、かつコンピュータの不使用時には、大きな床面積が無駄に専有されることとなる。
【０００４】
本発明は、多数の操作者がモニター機器を良く見ることができ、かつ自己の好みに応じて、操作し易い位置に移動することができるとともに、コンピュータ不使用時の専有床面積を可及的に小さくしうるようにしたコンピュータ用テーブルを提供することを目的としている。
【０００５】
【課題を解決するための手段】
本発明によると、上記課題は次のようにして解決される。
（１）  床面上に設けた支柱の上端に架設された、モニター機器載置用の天板の下方に所定間隔を設けて、オペレーション機器載置用の左右幅が天板より大寸の卓板を、その両幅部より垂設した左右１対の支脚により、前記天板に対して前後移動自在に設ける。
【０００６】
（２）  上記（１）項において、卓板の前縁が円弧状に突出するようにする。
【０００７】
（３）  上記（１）項において、卓板の前縁が円弧状に凹入するようにする。
【０００８】
（４）  上記（１）項において、卓板の前後両縁のいずれか一方が円弧状に突出し、他方が円弧状に凹入するようにする。
【０００９】
（５）  天板の下方における支柱の下部に棚板を設け、卓板の左右の支脚が前記棚板を跨ぐようにして、前記卓板が天板と棚板との間において前後方向に移動しうるようにする。
【００１０】
【発明の実施の形態】
図１〜図３は、本発明の一実施例を示す。
床上に設けた左右の支柱（１）（１）の下部には、斜め外側前方を向く下向Ｌ字形の左右１対の脚（２）（２）が連設され、脚（２）（２）上には棚板（３）が載設されている。
【００１１】
支柱（１）（１）の上端には、斜め前方に向けて連設した左右１対の支脚（図示省略）が設けられ、該支脚上には、天板（４）が架設され、天板（４）上には、ＣＲＴディスプレイ（５）（図１と図２においては図示省略）が載置されている。
【００１２】
棚板（３）と天板（４）の間には、左右幅が天板（４）より広幅の卓板（６）が設けられ、卓板（６）の下面両側より垂設した下向Ｙ字形の左右１対の支脚（７）（７）は、棚板（３）を跨ぎ、その下端に設けたキャスタ（８）が接地して、卓板（６）は前後に移動自在となっている。
【００１３】
卓板（６）の前縁には、湾曲して突出する突出部（９）が、また後縁には、前方に湾曲して凹入する凹入部（１０）が形成されている。
【００１４】
卓板（６）上には、キーボード（１１）とマウス（１２）と入力用データを記載した書類（１３）（図１と図２においては図示省略）が載置されている。
【００１５】
卓板（６）と天板（４）の間には、キーボード（１１）の高さより大きい間隔が設けられ、卓板（６）は、上記載置物（１１）（１２）（１３）を乗せたまま、天板（４）と棚板（３）の間に出入することができる。
【００１６】
上述の本発明テーブルによると、図３に示すように、２人の操作者（１４）が、卓板（６）における前方へ湾曲する突出部（９）の前に並んで着席して、協力して多量の課題を迅速に処理することができ、またコンピュータの不使用時には、卓板（６）を上記載置物（１１）（１２）（１３）等を乗せたまま、図２に示すように、天板（４）の下方に押し入れて、その分、テーブルの専有床面積を減少させて、邪魔にならないようにすることができる。
必要に応じ、卓板（６）を引き出して、直ちに操作することができる。
【００１７】
また図４と図５に示すように、卓板（６）を上述と前後逆にセットすれば、引き出した卓板（６）の後縁の凹入部（１０）に操作者（１４）が身体を乗り入れ、肘を卓板（６）の側部に乗せた楽な姿勢で、コンピュータを能率よく操作することができる。
【００１８】
上述のように、学校等で授業にコンピュータを使用する場合には、多数の学生がディスプレイ（５）を近くで鮮明に見ることができ、邪魔になることなく、快適に授業を行なうことができる。
【００１９】
本発明のコンピュータ用テーブルにおいては、図示を省略したが、卓板（６）の前後両縁またはその一方を、従来と同様直線としてもよい。
【００２０】
【発明の効果】
本発明によると、次のような効果が奏せられる。
（ａ）  請求項１の発明によると、コンピュータの不使用時に卓板を床面上に設けた支柱の上端に架設された天板の下方に押し入れれば、テーブルの専有する床面積が、ほぼ天板の広さだけ減少するので、邪魔にならず、その分を、他の目的に活用することができる。
【００２１】
（ｂ）  請求項２の発明によると、コンピュータの使用時に、突出部の前方に複数の操作者が無理なく並んで、協力して多くの課題を迅速に処理することができる。
【００２２】
（ｃ）  請求項３の発明によると、コンピュータ使用時、操作者が凹入部に身体を乗り入れ、肘を卓板の側部に乗せた楽な姿勢でモニターに近づいて、これを注視しながら、課題を迅速に処理することができる。またコンピュータを学校等で授業等に使用する場合には、多数の学生が無理なくモニターに近づいて画像を鮮明に見ることができ、邪魔にならずに、快適に授業を行なうことができる。
【００２３】
（ｄ）  請求項４の発明によると、上記（ａ）（ｂ）（ｃ）の効果が共有される。
【００２４】
（ｅ）  請求項１〜４のいずれの発明によっても、コンピュータの不使用時に、卓板を床面上に設けた支柱の上端に架設された天板の下方に押し入れて、テーブルの専有床面積を減少させ、減少した分を、他の目的に活用することができる。
【００２５】
（ｆ）  請求項５の発明によると、天板の下方における支柱の下部に棚板を設け、卓板の左右の支脚が前記棚板を跨ぐようにして、前記卓板が天板と棚板との間において前後方向に移動することができる。
【図面の簡単な説明】
【図１】本発明の一実施例の卓板引き出し時の斜視図である。
【図２】同じく卓板押し入れ時の斜視図である。
【図３】同じく使用時の平面図である。
【図４】本発明の一実施例の他の使用例を示す、卓板引き出し時の斜視図である。
【図５】同じく使用時の平面図である。
【符号の説明】
（１）支柱
（２）脚
（３）棚板
（４）天板
（５）ディスプレイ
（６）卓板
（７）支脚
（８）キャスタ
（９）突出部
（１０）凹入部
（１１）キーボード
（１２）マウス
（１３）書類
（１４）操作者
【図１】
0003548937.tif 000002
【図２】
0003548937.tif 000003
【図３】
0003548937.tif 000004
【図４】
0003548937.tif 000005
【図５】
0003548937.tif 000006